(57)【要約】  測定対象と同じような形状の測定対象外の粒子が混在していたとしても、測定対象の粒子径分布を精度良く測定できるようにするべく、第１粒子及びこの第１粒子とは異種の第２粒子とが混在し、少なくとも第１粒子が透光性を有する粒子群を撮像して得られた画像データを受け付ける画像処理部４１と、粒子を通過する光の屈折に起因して現れる明暗領域に基づき、画像に写された粒子が第１粒子であるか第２粒子であるかを判別する粒子判別部４２とを備えるようにした。
2019230628.tif 000002
【特許請求の範囲】
【請求項１】
第１粒子及びこの第１粒子とは異種の第２粒子とが混在し、少なくとも前記第１粒子が透光性を有する粒子群を撮像して得られた画像データを受け付ける画像処理部と、
粒子を通過する光の屈折に起因して現れる明暗領域に基づき、画像に写された粒子が前記第１粒子であるか前記第２粒子であるかを判別する粒子判別部とを備える、粒子径分布測定装置。
【請求項２】
前記第２粒子が透光性を有するものであり、
前記粒子判別部が、前記第１粒子の屈折率と前記第２粒子の屈折率との差に起因して現れる前記明暗領域の画像差に基づき、画像に写された粒子が前記第１粒子であるか前記第２粒子であるかを判別する、請求項１記載の粒子径分布測定装置。
【請求項３】
前記第１粒子が測定対象であり、前記第２粒子が気泡である、請求項２記載の粒子径分布測定装置。
【請求項４】
前記粒子群の粒子径分布である全体粒子径分布を算出する全体粒子径分布算出部と、
前記画像処理部が受け付けた前記画像データ及び前記粒子判別部が判別した判別結果に基づいて、気泡の粒子径分布である気泡径分布を算出する気泡径分布算出部と、
前記全体粒子径分布から前記気泡径分布の影響を差し引いて、前記測定対象の粒子径分布である対象粒子径分布を算出する対象粒子径分布算出部とを備える、請求項３記載の粒子径分布測定装置。
【請求項５】
前記全体粒子径分布算出部が、前記粒子群に光を照射することにより生じる回折／散乱光の光強度スペクトルに基づいて前記全体粒子径分布を算出する、請求項４記載の粒子径分布測定装置。
【請求項６】
前記粒子群に光を照射する光照射装置と、
前記明暗領域を識別可能な粒子の画像を撮像する撮像装置とを有し、
前記粒子判別部が、前記明暗領域のうちの明領域の比率、大きさ、形状、配置、若しくは明暗、又は、前記明暗領域のうちの暗領域の比率、大きさ、形状、配置、若しくは明暗の少なくとも一つを前記画像差として、前記撮像装置により撮像された画像に写る粒子が気泡であるか前記測定対象であるかを判別する、請求項３記載の粒子径分布測定装置。
【請求項７】
前記撮像装置が、
撮像レンズと、
前記撮像レンズにより結像される光のうち第１波長域の光を受光する第１受光素子と、
前記撮像レンズにより結像される光のうち第２波長域の光を受光する第２受光素子と、
前記第１波長域による結像系と前記第２波長域による結像系との間で軸上色収差を拡大させる光学素子とを有する、請求項６記載の粒子径分布測定装置。
【請求項８】
前記光照射装置が、平行光を前記粒子群に照射するとともに、その平行光の光軸に対して傾斜した光軸を有する斜め光を前記粒子群に照射するように構成されており、
前記粒子判別部が、粒子を通過する前記斜め光の屈折に起因して現れる明暗領域のうちの明領域の比率、大きさ、形状、配置、若しくは明暗、又は、当該明暗領域のうちの暗領域の比率、大きさ、形状、配置、若しくは明暗の少なくとも一つに基づき、前記撮像装置により撮像された画像に写る粒子が気泡であるか前記測定対象であるかを判別する、請求項６記載の粒子径分布測定装置。
【請求項９】
前記斜め光がリング状の光である請求項８記載の粒子径分布測定装置。
【請求項１０】
前記光照射装置が、互いに異なる色の複数の前記斜め光を、互いに異なる方向から前記粒子群に照射するように構成されている、請求項８記載の粒子径分布測定装置。
【請求項１１】
第１粒子及びこの第１粒子とは異種の第２粒子とが混在し、少なくとも第１粒子が透光性を有する粒子群を撮像して得られた画像データを受け付ける画像処理部と、
粒子を通過する光の屈折に起因して現れる明暗領域に基づき、画像に写された粒子が前記第１粒子であるか前記第２粒子であるかを判別する粒子判別部としての機能をコンピュータに発揮させる、粒子径分布測定装置用プログラム。
【発明の詳細な説明】
【技術分野】
【０００１】
本発明は、粒子径分布測定装置及び粒子径分布測定装置に用いられるプログラムに関するものである。
【背景技術】
【０００２】
粒子径分布測定装置としては、特許文献１に示すように、媒質に分散した測定対象である粒子群に光を照射し、その回折／散乱光の光強度スペクトルに基づいて測定対象の粒子径分布を算出する、光散乱式のものがある。【０００３】
このような粒子径分布測定装置において、媒質中に測定対象とは異なる粒子が混入すると、測定対象である粒子と測定対象外の粒子とが混ざり合った粒子群の粒子径分布が算出されてしまい、測定誤差が生じる。【０００４】
そこで、特許文献１に記載の粒子径分布測定装置は、測定対象であるファインバブルとコンタミ（異物）との形状の違い（球形状であるかどうか）を利用して、粒子群を撮像した画像を画像処理することで、粒子が測定対象であるか否かを判別し、測定対象であると判別された粒子の粒子径分布を算出するように構成されている。【０００５】
しかしながら、上述した構成では、測定対象の粒子と測定対象外の粒子とが同じような形状であると、撮像された粒子の判別ができず、測定対象の粒子径分布を精度良く測定することはできない。
【先行技術文献】
【特許文献】
【０００６】
【特許文献１】特開２０１８−４４５０号公報
【発明の概要】
【発明が解決しようとする課題】
【０００７】
そこで本発明は上記問題点を解決すべくなされたものであり、測定対象と同じような形状の測定対象外の粒子が混在していたとしても、測定対象の粒子径分布を精度良く測定できるようにすることをその主たる課題とするものである。
【課題を解決するための手段】
【０００８】
すなわち本発明に係る粒子径分布測定装置は、第１粒子及びこの第１粒子とは異種の第２粒子とが混在し、少なくとも前記第１粒子が透光性を有する粒子群を撮像して得られた画像データを受け付ける画像処理部と、粒子を通過する光の屈折に起因して現れる明暗領域に基づき、画像に写された粒子が前記第１粒子であるか前記第２粒子であるかを判別する粒子判別部とを備えることを特徴とするものである。【０００９】
このように構成された粒子径分布測定装置によれば、例えば第２粒子が光を透過させない粒子であれば、画像に写された第２粒子には明暗領域が現れないので、粒子判別部が、この明暗領域の有無に基づいて、画像に写された粒子が第１粒子であるか第２粒子であるかを判別することができる。従って、仮に測定対象と同じような形状の測定対象外の粒子が混在していたとしても、画像に写された粒子が測定対象であるか否かを判別することができ、測定対象の粒子径分布を精度良く測定することができる。【００１０】
一方、第２粒子が透光性を有する場合は、画像に写された第１粒子及び第２粒子には何れも明暗領域が現れるので、明暗領域の有無のみでは、画像に写された粒子の判別は難しい。
そこで、前記第２粒子が透光性を有する場合には、前記粒子判別部が、前記第１粒子の屈折率と前記第２粒子の屈折率との差に起因して現れる前記明暗領域の画像差に基づき、画像に写された粒子が前記第１粒子であるか前記第２粒子であるかを判別することが好ましい。
このような構成であれば、測定対象である粒子と測定対象外の粒子との何れもが透光性を有する場合であっても、これらの屈折率の差に起因して現れる明暗領域の画像差に基づき、画像に写された粒子が測定対象であるか否かを判別するので、測定対象の粒子径分布を精度良く測定することが可能となる。【００１１】
ここで、背景技術で述べた測定誤差が生じる一例としては、測定対象が分散された媒質に気泡が混入している場合が挙げられる。すなわち、前記第１粒子が測定対象であり、前記第２粒子が気泡であれば、本発明の効果がより顕著に発揮される。
具体的には、上述した粒子径分布測定装置を用いることで、画像に写された粒子が気泡であるか測定対象であるかを判別することができるので、例えば気泡であると判別された粒子の粒子径分布を算出し、その粒子径分布の影響を、気泡と測定対象である粒子とが混在する粒子群の粒子径分布から差し引くことで、気泡による測定誤差を低減することができ、測定対象の粒子径分布を精度良く測定することが可能となる。【００１２】
前記粒子群の粒子径分布である全体粒子径分布を算出する全体粒子径分布算出部と、前記画像処理部が受け付けた前記画像データ及び前記粒子判別部が判別した判別結果に基づいて、気泡の粒子径分布である気泡径分布を算出する気泡径分布算出部と、前記全体粒子径分布から前記気泡径分布の影響を差し引いて、前記測定対象の粒子径分布である対象粒子径分布を算出する対象粒子径分布算出部とを備えることが好ましい。
このような構成であれば、粒子群全体の粒子径分布から気泡の粒子径分布の影響を差し引いて測定対象の粒子径分布を算出するので、測定対象の粒子径分布を精度良く求めることができる。【００１３】
前記全体粒子径分布算出部が、前記粒子群に光を照射することにより生じる回折／散乱光の光強度スペクトルに基づいて前記全体粒子径分布を算出することが好ましい。
これならば、例えば画像式測定方法により測定する場合に比べて、より小さな粒子の粒子径分布を測定することができ、測定可能な粒子径範囲を広くすることができる。【００１４】
上述した明暗領域の画像差を利用して粒子を判別するための具体的な実施態様としては、前記粒子群に光を照射する光照射装置と、前記明暗領域を識別可能な粒子の画像を撮像する撮像装置とを有し、前記粒子判別部が、前記明暗領域のうちの明領域の比率、大きさ、形状、配置、もしくは明暗、又は、前記明暗領域のうちの暗領域の比率、大きさ、形状、配置、もしくは明暗の少なくとも一つを前記画像差として、前記撮像装置により撮像された画像に写る粒子が気泡であるか前記測定対象であるかを判別する構成を挙げることができる。【００１５】
ところで、明暗領域の画像差を利用して粒子を判別する場合、例えば粒子が撮像装置のピントからずれた位置にあり、明暗領域がボケてしまうと、粒子が気泡であるか測定対象であるかの判別が困難となる。そうすると、気泡であるか測定対象であるかを判別することのできる粒子が少なくなり、粒子群に含まれる気泡の粒子径分布を精度良く求めることができず、ひいては測定対象の粒子径分布を精度良く測定することができない。
そこで、前記撮像装置が、撮像レンズと、前記撮像レンズにより結像される光のうち第１波長域の光を受光する第１受光素子と、前記撮像レンズにより結像される光のうち第２波長域の光を受光する第２受光素子と、前記第１波長域による結像系と前記第２波長域による結像系との間で軸上色収差を拡大させる光学素子とを有することが好ましい。
このような構成であれば、光学素子によって第１波長域による結像系と第２波長域による結像系との間で軸上色収差を拡大させているので、第１波長域の光と第２波長域の光とで撮像レンズによる焦点距離が異なることになる。これらを第１受光素子及び第２受光素子で受光することによって、撮像レンズの光軸方向にずれた位置の粒子を計測することができる。つまり、より多くの粒子にピントを合わせることができ、気泡であるか測定対象であるかを判別することのできる粒子が多くなる。その結果、粒子群に含まれる気泡の粒子径分布を精度良く求めることができ、ひいては測定対象の粒子径分布を精度良く測定することができる。
また、画像に写された粒子１つに着目すると、第１波長の光を第１受光素子で受光して得られた画像の明暗領域と、第２波長の光を第２受光素子で受光して得られた画像の明暗領域とを比較することで、その差異に基づいた粒子の判別をも可能とすることができる。【００１６】
また、気泡であるか測定対象であるかを判別することのできる粒子を多くするための別の実施形態としては、光照射装置が、平行光を前記粒子群に照射するとともに、その平行光の光軸に対して傾斜した光軸を有する斜め光を前記粒子群に照射するように構成されており、前記粒子判別部が、粒子を通過する前記斜め光の屈折に起因して現れる明暗領域のうちの明領域の比率、大きさ、形状、配置、若しくは明暗、又は、当該明暗領域のうちの暗領域の比率、大きさ、形状、配置、若しくは明暗の少なくとも一つを前記画像差として、前記撮像装置により撮像された画像に写る粒子が気泡であるか前記測定対象であるかを判別する構成が挙げられる。
このような構成であれば、斜め光の屈折に起因して現れる明暗領域のうちの明領域は比較的大きな領域となるので、例えば粒子が撮像装置のピントからずれた位置にあり、斜め光の明暗領域が多少ボケたとしても、この明暗領域を用いて粒子の判別をすることができ、気泡であるか測定対象であるかを判別することのできる粒子を多くすることができる。【００１７】
明暗領域のうちの明領域をより大きな領域にするための実施態様としては、前記斜め光がリング状の光であることが好ましい。【００１８】
前記光照射装置が、互いに異なる色の複数の前記斜め光を、互いに異なる方向から前記粒子群に照射するように構成されていることが好ましい。
このような構成であれば、複数の斜め光を照射しているので、斜め光と同数の明暗領域を撮像することができ、これらの明暗領域の明領域又は暗領域の比率、大きさ、形状、配置などといった、より多くのパラメータを画像差として用いることができ、粒子が測定対象であるか気泡であるかをより正しく判別することができる。しかも、各斜め光を互いに異なる色の光としているので、各斜め光に対する明暗領域の比率、大きさ、形状、配置などを正しく識別することができる。【００１９】
また、本発明に係る粒子径分布測定装置用プログラムは、第１粒子及びこの第１粒子とは異種の第２粒子とが混在し、少なくとも前記第１粒子が透光性を有する粒子群を撮像して得られた画像データを受け付ける画像処理部と、粒子を通過する光の屈折に起因して現れる明暗領域に基づき、画像に写された粒子が前記第１粒子であるか前記第２粒子であるかを判別する粒子判別部としての機能をコンピュータに発揮させることを特徴とするプログラムである。
このようなプログラムを用いれば、上述した粒子径分布測定装置と同様の作用効果を得ることができる。
【発明の効果】
【００２０】
以上に述べた本発明によれば、測定対象と同じような形状の測定対象外の粒子が混在していたとしても、撮像された粒子が測定対象であるか否かを判別することができ、測定対象の粒子径分布を精度良く測定することが可能となる。
【図面の簡単な説明】
【００２１】
【図１】本実施形態に係る粒子径分布測定装置の全体構成を模式的に示す図。
【図２】同実施形態の撮像素子の構成例を模式的に示す図。
【図３】同実施形態の画像解析装置の機能を示す機能ブロック図。
【図４】同実施形態の深度合成を示す図である。
【図５】同実施形態の粒子判別部の機能を説明するための図。
【図６】同実施形態に係る光散乱式測定機構の全体構成を模式的に示す図。
【図７】同実施形態の演算装置の機能を示す機能ブロック図。
【図８】同実施形態の対象粒子径分布算出部の機能を説明するための図。
【図９】その他の実施形態における光照射装置からの光の照射方法を説明するための図。
【図１０】その他の実施形態における光照射装置からの光の照射方法を説明するための図。
【発明を実施するための形態】
【００２２】
以下に本発明に係る粒子径分布測定装置の一実施形態について図面を参照して説明する。
【００２３】
本実施形態に係る粒子径分布測定装置１００は、図１に示すように、画像解析法により粒子径分布を測定する画像式測定機構を具備するものであり、具体的には、測定対象Ｘである粒子群を収容するセル１０と、そのセル１０内の粒子群に光を照射する光照射装置２０と、セル１０に収容された粒子群を撮像する撮像装置３０と、撮像装置３０により得られた画像データを解析する画像解析装置４０とを備えている。
【００２４】
ここで、セル１０内には透光性を有する第１粒子Ｘと、第１粒子Ｘとは異種の第２粒子Ｙとが混在している。第１粒子Ｘたる透光性粒子としては、例えば気泡や樹脂製の粒子などが挙げられ、第２粒子Ｙとしては、透光性を有する粒子であっても良いし透光性を有していない粒子であっても良い。これらの第１粒子Ｘ及び第２粒子Ｙは、セル１０内の媒質中に分散されている。なお、媒質は水等の液体や空気等の気体である。
以下では、第１粒子Ｘが、医薬品、食品、化学工業品などの測定対象Ｘであり、第２粒子Ｙが、測定対象外の粒子たる気泡Ｙである場合について説明する。
【００２５】
光照射装置２０は、セル１０に収容された粒子群に所定の拡がりを有する光を照射するものであり、例えば発光ダイオードを用いた面発光タイプのものである。具体的に光照射装置２０は、発光ダイオードからなる光源２１と当該光源２１の光射出側に設けられて所定波長の光を透過する透過フィルタ２２とを有する。本実施形態の透過フィルタ２２は、撮像装置３０により受光される波長（第１波長、第２波長及び第３波長）を透過するものである。なお、正確な影絵を得るためには、平行照明を用いて平行光を粒子群に照射することが望ましい。テレセントリック照明が最適ではあるが、ＬＥＤ光源とコンデンサーレンズＬとの組み合わせでもよい。
【００２６】
撮像装置３０は、撮像レンズ３１と、撮像レンズ３１により結像される光を受光する撮像素子３２とを有している。
【００２７】
撮像レンズ３１は、粒子群を収容するセル１０内にピント面（焦点面）を有するものである。本実施形態の撮像レンズ３１は、テレセントリックレンズを用いている。テレセントリックレンズを用いることによって、視差による影響を受けずに歪みのない画像を撮影することができる。
【００２８】
撮像素子３２は、図２に示すように、第１波長域の光を受光する複数の第１受光素子３２１と、第２波長域の光を受光する複数の第２受光素子３２２と、第３波長域の光を受光する複数の第３受光素子３２３とを有している。本実施形態では、第１波長域の光は赤色の光（Ｒ）であり、第２波長域の光は緑色の光（Ｇ）であり、第３波長域の光は青色の光（Ｂ）である。また、本実施形態の複数の第１〜第３受光素子３２１、３２２、３２３は、単一の基板上にマトリックス状に配置されたものであり、撮像素子３２において各受光素子３２１、３２２、３２３の前方には、対応する波長域の光を透過する透過フィルタ（不図示）が設けられている。また、上述した光照射装置２０の透過フィルタ２２は、赤色の光、緑色の光及び青色の光を透過するＲＧＢ透過フィルタとしてある。
【００２９】
ここで、撮像素子３２の分光感度は、Ｒ、Ｇ、Ｂの波長域が互いに重なってしまう。一方、光照射部２の透過フィルタ２２の分光透過率は、Ｒ、Ｇ、Ｂの波長域が互いに分離している。このため、透過フィルタ２２により第１波長域の光（Ｒ）を６３０ｎｍを中心とし、第２波長域の光（Ｇ）を５３０ｎｍを中心とし、第３波長域の光（Ｂ）を４６０ｎｍを中心とし、それぞれ幅をもった波長域としている。なお、撮像素子３２としては、三板式のイメージセンサを用いても良い。
【００３０】
ここで、本実施形態の撮像装置３０は、図１に示すように、第１波長域による結像系と第２波長域による結像系と第３波長域による結像系との間に軸上色収差を発生させる光学素子３３を有している。
【００３１】
この光学素子３３は、撮像レンズ３１と各受光素子３２１、３２２、３２３との間に設けられた、例えば高分散硝材からなる平板である。高分散硝材としては、アッベ数が３０よりも小さいものを用いることができる。
【００３２】
この光学素子３３によって、撮像レンズ３１によるピント面の位置が光軸方向にずれることになる。具体的には、図１に示すように、物体側から撮像レンズ３１側に、第１波長域の光（赤色の光）のピント面Ｆ１、第２波長域の光（緑色の光）のピント面Ｆ２、及び第３波長域の光（青色の光）のピント面Ｆ３の順にずれるようになる。なお、各ピント面Ｆ１、Ｆ２、Ｆ３は、撮像レンズ３１の被写界深度を有する。
【００３３】
このようにして、第１受光素子３２１が撮像する領域（ピント面Ｆ１）と、第２受光素子３２２が撮像する領域（ピント面Ｆ２）と、第３受光素子３２３が撮像する領域（ピント面Ｆ３）とは光軸方向に沿って互いに異なる位置となり、ここでは互いに隣り合う領域（ピント面）の光軸方向端部が重なり合っている。なお、ピント面は、必ずしも厳密に重なり合っていなくても良く、幅方向の一部が重複していても良い。また、互いに隣り合うピント面は、離れていても良い。
【００３４】
これら受光素子３２１、３２２、３２３により得られた各画像データは画像解析装置４０によって分析処理される。
【００３５】
画像解析装置４０は、ＣＰＵ、メモリ、入出力インターフェース、ＡＤ変換器、キーボードやマウスなどの入力手段などを有する汎用乃至専用のコンピュータである。
【００３６】
そして、この画像解析装置４０は、前記メモリに格納されたプログラムに基づいて、ＣＰＵ及びその周辺機器が作動することにより、図３に示すように、画像処理部４１、粒子判別部４２、気泡径分布算出部４３などの機能を備えている。
【００３７】
画像処理部４１は、図４に示すように、第１受光素子３２１から得られた第１画像と、第２受光素子３２２から得られた第２画像と、第３受光素子３２３から得られた第３画像とを用いて深度合成などの画像処理を行って１枚の画像に合成する。より詳細には、画像処理部４１は、各受光素子３２１〜３２３により得られた光強度信号をベイヤー変換せずに第１〜第３画像を形成する。そして、画像処理部４１は、第１画像、第２画像、第３画像それぞれについて、それぞれの波長領域外のピクセル抜けを補完する。その後、画像処理部４１は、補完した画像を用いて深度合成を行って１枚の画像に合成する。ただし、画像処理部４１としては、必ずしも画像の合成を行う必要はない。また、画像処理部４１としては、各受光素子３２１〜３２３により得られた光強度信号をベイヤー変換してから第１〜第３画像を形成しても良い。
【００３８】
ここで、光照射装置２０及び撮像装置３０は、セル１０を挟むように対向して配置されており、光照射装置２０から射出された光は、図５（ａ）に示すように、透光性粒子を通過する際に屈折する。より具体的には、媒質の屈折率よりも粒子の屈折率が大きい場合は、同図上段に示すように、光が屈折して集光し、媒質の屈折率よりも粒子の屈折率が小さい場合は、同図下段に示すように、光が屈折して発散する。これにより、粒子に照射された光の一部、具体的には粒子の中心部に照射された光が撮像装置３０に到達することになる。
その結果、撮像装置３０が撮像した粒子の画像には、図５（ｂ）に示すように、粒子を通過する光の屈折に起因した明暗領域が現れる。より具体的には、画像に写された粒子の中心部は明るい領域（以下、明領域Ｓ１という）となり、その外周部は暗い領域（以下、暗領域Ｓ２という）領域となり、これらの明領域Ｓ１及び暗領域Ｓ２は識別可能な領域となる。
【００３９】
より詳細に説明すると、図５（ａ）に示すように、測定対象Ｘである粒子や気泡Ｙをボールレンズとみなした場合、これらの粒子の焦点距離ＥＦＬは、粒子の直径Ｄ、粒子の屈折率ｎ１、及び粒子が分散する媒質の屈折率ｎ２をパラメータとした下記の算出式により算出することができる。
ＥＦＬ＝ｎ１・Ｄ／４（ｎ１−ｎ２）
このことから、仮に直径Ｄが互いに等しい測定対象Ｘ及び気泡Ｙを撮像した場合、測定対象Ｘの屈折率と気泡Ｙの屈折率との差に起因して明領域Ｓ１及び暗領域Ｓ２の比率、大きさ、形状、明暗（コントラスト）などが変わる。
【００４０】
そこで、粒子判別部４２は、上述した明暗領域Ｓ１、Ｓ２に基づいて、画像処理部４１により得られた画像に写る粒子が、第１粒子であるか第２粒子であるか、すなわち測定対象Ｘである気泡Ｙであるかを判別する。具体的にこの粒子判別部４２は、測定対象Ｘの屈折率と気泡Ｙの屈折率との差に起因して現れる明暗領域Ｓ１、Ｓ２の画像差に基づき、画像に写る粒子が測定対象Ｘであるか気泡Ｙであるかを判別するものであり、例えば画像を二値化することで上述した画像差を算出するように構成されている。
【００４１】
本実施形態の粒子判別部４２は、画像に写された粒子に対する明領域Ｓ１の比率を上述した画像差とするものであり、この比率に基づいて、当該粒子が測定対象Ｘであるか気泡Ｙであるかを判別するように構成されている。より具体的に粒子判別部４２は、画像に写された粒子の外径に対する明領域Ｓ１の外径の比率、或いは、画像に写された粒子の面積に対する明領域Ｓ１の面積の比率に基づいて、粒子が測定対象Ｘであるか気泡Ｙであるかを判別するように構成されており、上述した比率が所定の閾値未満の場合には粒子を気泡Ｙであると認定し、所定の閾値以上の場合には粒子を測定対象Ｘであると認定する。
【００４２】
なお閾値は、例えばセル１０の形状やサイズ、光照射装置２０の配置、撮像装置３０の光学系、媒質の屈折率と粒子の屈折率の大小関係など、種々の要因に応じて変わり得る。そこで、閾値としては、例えばバブル発生器等により発生させた気泡を本実施形態のセル１０に収容させ、これらの気泡を本実施形態の光照射装置２０や撮像装置３０を用いて撮像することで、その画像に写された気泡に対する明領域の比率に基づき定めることができる。そして、このように定めた閾値を画像解析装置４０のメモリ内に格納させておくことで、粒子判別部４２が前記メモリから閾値を取得して粒子の判別をすることができる。
【００４３】
気泡径分布算出部４３は、上述した画像処理部４１が受け付けた画像データ及び粒子判別部４２が判別した判別結果に基づき、セル１０に収容された気泡Ｙの粒子径分布（以下、気泡径分布という）を算出するものである。具体的にこの気泡径分布算出部４３は、粒子判別部４２が気泡Ｙであると認定した粒子それぞれに対して、その画像データから外径を求めて気泡径分布を算出する。
【００４４】
ここで、本実施形態の粒子径分布測定装置１００は、図６に示すように、上述した画像式測定機構により測定された気泡径分布を示す気泡径分布データを取得するとともに、測定対象Ｘの粒子径分布を測定する光散乱式測定機構１０１をさらに具備している。
【００４５】
この光散乱式測定機構１０１は、粒子に光を照射した際に生じる回折／散乱光の拡がり角度に応じた光強度分布が、回折理論及びＭＩＥ散乱理論から粒子径によって定まることを利用し、前記回折／散乱光を検出することによって粒子径分布を測定するものであり、装置本体５０及び演算装置６０を備えている。
【００４６】
装置本体５０は、セル１０内の粒子群にレンズ５１を介してレーザ光を照射する光源５２たるレーザ装置と、レーザ光の照射により生じる回折／散乱光の光強度を拡がり角度に応じて検出する複数の光検出器５３とを備えたものである。なお、ここでのセル１０は、バッチ式のセルであるが、循環式のセルであっても良い。また、このセル１０は、上述した画像式測定機構による測定で用いられたものと同一であることが好ましく、このセル１０には測定対象Ｘのみならず、気泡Ｙも収容されていることは、上述した通りである。
【００４７】
演算装置６０は、物理的に言えば、ＣＰＵ、メモリ、入出力インターフェース等を備えた汎用乃至専用のコンピュータであり、前記メモリの所定領域に記憶させた所定のプログラムにしたがって、ＣＰＵや周辺機器を協働させることにより、図７に示すように、実スペクトル取得部６１、全体粒子径分布算出部６２、対象粒子径分布算出部６３などの機能を備えたものである。
【００４８】
実スペクトル取得部６１は、各光検出器５３から出力された光強度信号を受け付けて、各光検出器５３のチャンネルに対する光強度スペクトル、すなわち回折／散乱光の拡がり角度に対する光強度スペクトル（以下、実スペクトルという）を取得するものである。なお、ここでの実スペクトルは、測定対象Ｘである粒子群に起因した回折／散乱光の光強度スペクトルと、気泡に起因した回折／散乱光の光強度スペクトルとが重なり合ったものである。
【００４９】
全体粒子径分布算出部６２は、実スペクトル取得部６１により取得された実スペクトルに基づいて、セル１０に収容された粒子群全体、すなわち測定対象Ｘである粒子群のみならず測定対象外の気泡をも含む粒子群の粒子径分布（以下、全体粒子径分布という）を算出するものである。
【００５０】
対象粒子径分布算出部６３は、上述した気泡径分布算出部４３により算出された気泡径分布を示す気泡径分布データを受け付け、全体粒子径分布から気泡径分布の影響を差し引いて測定対象Ｘの粒子径分布である対象粒子径分布を算出するものである。
具体的にこの対象粒子径分布算出部６３は、図８に示すように、全体粒子径分布から気泡径分布が占める領域を差し引いて対象粒子径分布を算出し、例えばディスプレイ等に表示する。なお、具体的な表示態様としては、一方の軸を粒子径、他方の軸を頻度（パーセンテージ）に設定されたグラフ上に対象粒子径分布を表示する態様が挙げられ、対象粒子径分布のみを表示しても良いし、図８に示すように、対象粒子径分布と気泡径分布とを識別可能に表示しても良い。
なお、気泡径分布が占める領域をそのまま全体粒子径分布から差し引くのではなく、気泡径分布が占める領域に例えば重み付けしたものを全体粒子径分布から差し引いて対象粒子径分布を算出しても良い。
【００５１】
このように構成された粒子径分布測定装置１００によれば、画像式測定機構を用いてセル１０内の気泡Ｙの粒子径分布である気泡径分布を測定し、この気泡径分布を全体粒子径分布から差し引くことで対象粒子径分布を算出するので、気泡Ｙによる測定誤差を低減することができ、対象粒子径分布を精度良く測定することが可能となる。
【００５２】
また、光学素子３３によって第１〜第３波長域の光それぞれに軸上色収差を発生させて、これらを第１〜第３受光素子３２１、３２２、３２３で受光することによって、撮像レンズ３１の光軸方向にずれた位置の粒子を計測することができる。つまり、より多くの粒子にピントを合わせることができ、粒子が測定対象Ｘであるか気泡Ｙであるかを判別することのできる粒子が多くなる。その結果、粒子群に含まれる気泡Ｙの粒子径分布を精度良く求めることができ、ひいては測定対象Ｘである粒子群の粒子径分布（対象粒子径分布）を精度良く測定することができる。
【００５３】
なお、本発明は前記各実施形態に限られるものではない。
【００５４】
例えば、前記実施形態では、画像に写された粒子に対する明領域Ｓ１の比率を画像差として、この画像差に基づいて粒子を判別していたが、明領域Ｓ１の大きさや明暗を画像差として、この画像差に基づいて粒子を判別しても良い。
明領域Ｓ１の大きさを画像差とする場合、粒子判別部４２としては、前記実施形態と同様に、明領域Ｓ１の大きさと予め設定した閾値とを比較して粒子を判別するように構成されていれば良い。
また、明領域Ｓ１の明暗を画像差とする場合、粒子判別部４２としては、明領域Ｓ１のコントラスト（例えば画像に写された媒質の明るさと明領域Ｓ１の明るさとの差）と、予め設定した閾値とを比較して粒子を判別するように構成されていれば良い。
【００５５】
また、画像式測定機構としては、光照射装置が、前記実施形態と同様の平行光を粒子群に照射するとともに、その平行光の光軸に対して傾斜した光軸を有する斜め光を粒子群に照射するように構成されており、粒子判別部が、粒子を通過する斜め光の屈折に起因して現れる明領域（以下、第２明領域Ｓ３ともいう）の比率、大きさ、形状、配置、又は明暗の少なくとも一つを画像差として、粒子が測定対象Ｘであるか気泡Ｙであるかを判別しても良い。
【００５６】
より具体的な一例としては、図９（ａ）に示すように、平行光に対して斜めの方向から例えばリング状の光を粒子群に照射する構成が挙げられる。
【００５７】
このような構成であれば、図９（ｂ）に示すように、第２明領域Ｓ３が明領域Ｓ１よりも大きな領域となるので、例えば粒子が撮像装置３０のピントからずれた位置にあり、第２明領域Ｓ３が多少ボケたとしても、この第２明領域Ｓ３を用いて粒子の判別をすることができる。これにより、測定対象Ｘであるか気泡Ｙであるかを判別することのできる粒子が多くなるので、気泡Ｙの粒子径分布を精度良く算出することができ、ひいては測定対象Ｘの粒子径分布を精度良く求めることができる。
【００５８】
別の一例としては、図１０（ａ）に示すように、複数の斜め光を、互いに異なる方向から粒子群に照射する構成が挙げられ、ここでは２つの斜め光を平行光に対して斜めの方向であって互いに異なる方向から粒子群に照射している。ここでの斜め光は、互いに異なる色の光（例えば青色光及び赤色光）である。
【００５９】
このような構成であれば、図１０（ｂ）に示すように、斜め光と同数の第２明領域Ｓ３を撮像することができ、これらの第２明領域Ｓ３の比率、大きさ、形状、配置などといった、より多くのパラメータを画像差として用いることができ、粒子が測定対象Ｘであるか気泡Ｙであるかをより正しく判別することができる。しかも、複数の斜め光を互いに異なる色の光としているので、各斜め光に対する第２明領域Ｓ３の比率、大きさ、形状、配置、明暗などを正しく識別することができる。
なお、第２明領域Ｓ３の比率や大きさや明暗を画像差とする場合、粒子判別部４２としては、前記実施形態と同様に、比率や大きさと予め設定した閾値とを比較して粒子を判別するように構成されていれば良い。
また、第２明領域Ｓ３の形状や配置を画像差とする場合は、例えば粒子が測定対象であるか気泡であるかを示す粒子の種別情報と、粒子の種別ごとに予め定めた第２明領域Ｓ３の基準形状や基準配置を示す基準パターンとを関連付けた関連データを、画像解析装置４０のメモリの所定領域に設定された関連データ格納部に予め格納しておく構成が挙げられる。そして、粒子判別部４２としては、撮像された粒子に写る第２明領域Ｓ３の実際の形状や実際の配置を示す実パターンと、関連データとして記憶されている基準パターンとを比較して、実パターンに最も近い基準パターンに関連付けられた粒子の種別情報を判断するように構成されていれば良い。
【００６０】
さらに、図１０（ａ）に示すように、平行光及び斜め光を互いに異なる色の光にするとともに、これらの平行光及び斜め光が、例えばＲＧＢフィルタ等のカラーフィルタ（不図示)を通過して撮像装置３０の撮像素子に導かれるように構成されていても良い。
このような構成であれば、カラーフィルタによって、平行光に起因して現れる明領域Ｓ１と、斜め光に起因して現れる第２明領域Ｓ３とを分離して識別することができ、損失画素を低減させることができる。
【００６１】
また、粒子判別部としては、上述したように明領域Ｓ１の比率などに基づいて粒子を判別するものに限らず、暗領域Ｓ２の比率、大きさ、形状、配置などに基づいて粒子を判別しても良い。
さらに、粒子判別部としては、第１波長の光を第１受光素子で受光して得られた画像に写る粒子の明暗領域と、第２波長の光を第２受光素子で受光して得られた画像に写る粒子の明暗領域とを比較し、その比較結果に基づいた粒子の判別をしても良い。もちろん、第３波長の光を第３受光素子で受光して得られた画像に写る粒子の明暗領域をさらに比較対象として用いても良い。
【００６２】
そのうえ、前記実施形態では、全体粒子径分布から気泡径分布を差し引いて対象粒子径分布を算出していたが、気泡径分布から気泡に起因する回折／散乱光の光強度スペクトルである気泡スペクトルを算出し、この気泡スペクトルを実スペクトルから差し引いて、測定対象Ｘに起因する回折／散乱光の光強度スペクトルである対象スペクトルを算出たうえで、この対象スペクトルに基づいて対象粒子径分布を算出しても良い。
【００６３】
さらに、前記実施形態では、ＲＧＢの３種類の波長域の光を用いていたが、その他の互いに異なる波長域を用いて計測するものであってもよい。また、３種類の波長域に限られず、２種類の波長域を用いて計測するものであってもよいし、４種類以上の波長域を用いて計測するものであってもよい。さらに、前記実施形態で説明した軸上色収差を発生させる光学素子３３を利用しない場合、光照射装置２０としては、単一波長の光を射出するものであっても良い。
【００６４】
また、前記各実施形態の光学素子は、ガラス材料の他、ＰＣ（ポリカーボネート）、ＰＳ（ポリスチレン）などアッベ数３０程度で透過率を有する樹脂製のものであっても良い。
【００６５】
加えて、前記実施形態では、全体粒子径分布を光散乱式測定機構１０１により測定していたが、画像測定式機構により全体粒子径分布を測定しても良い。
【００６６】
前記実施形態では、第１粒子が透光性を有する測定対象であり、第２粒子が気泡であったが、第１粒子が測定対象である気泡であり、第２粒子が気泡とは異なる測定対象外の粒子であっても良い。
また、第１粒子が透光性を有する測定対象外の粒子であり、第２粒子が例えば透光性を有していない測定対象であっても良い。
なお、第１粒子が透光性を有する粒子であり、第２粒子が透光性を有していない粒子であれば、どちらが測定対象であったとしても、粒子判別部としては、画像に写された粒子に明暗領域が現れているか否か、つまり明暗領域の有無に基づいて粒子を判別しても良い。
【００６７】
また、前記実施形態の機能の一部を機械学習アルゴリズムにより演算処理する機械学習部により実行させても良い。例えば、粒子判別部４２の機能を機械学習部により実行させても良い。機械学習部は、予め取得された複数の画像を用いて機械学習を行い、該機械学習の結果を用いて当該粒子が測定対象Ｘであるか気泡Ｙ（非対象粒子）であるかを判別する。画像処理部４１により得られた画像から、判別すべき粒子を含む画像の一部分を切り出して、機械学習部に入力として受け付けさせればよい。
【００６８】
前記実施形態の光散乱式測定機構１０１は、粒子に光を照射した際に生じる回折／散乱光の拡がり角度に応じた光強度分布が、ＭＩＥ散乱理論から粒子径によって定まることを利用して粒子径分布を測定するものであったが、光散乱式測定機構１０１としては、動的散乱理論に基づき粒子径分布を算出するもの、すなわち光検出器５３により検出された光強度の揺らぎに基づいて粒子径分布を算出するものであっても良い。
【００６９】
その他、本発明の趣旨に反しない限りにおいて様々な実施形態の変形や組み合わせを行っても構わない。
【符号の説明】
【００７０】
１００・・・粒子径分布測定装置
１０  ・・・セル
２０  ・・・光照射装置
３０  ・・・撮像装置
４０  ・・・画像解析装置
４１  ・・・画像処理部
４２  ・・・粒子判別部
４３  ・・・気泡径分布算出部
１０１・・・光散乱式測定機構
５０  ・・・装置本体
６０  ・・・演算装置
６１  ・・・実スペクトル取得部
６２  ・・・全体粒子径分布算出部
６３  ・・・対象粒子径分布算出部
Ｘ    ・・・測定対象
Ｙ    ・・・気泡
【産業上の利用可能性】
【００７１】
本発明によれば、測定対象と同じような形状の測定対象外の粒子が混在していたとしても、測定対象の粒子径分布を精度良く測定することができる。
【図１】
2019230628.tif 000003
【図２】
2019230628.tif 000004
【図３】
2019230628.tif 000005
【図４】
2019230628.tif 000006
【図５】
2019230628.tif 000007
【図６】
2019230628.tif 000008
【図７】
2019230628.tif 000009
【図８】
2019230628.tif 000010
【図９】
2019230628.tif 000011
【図１０】
2019230628.tif 000012
【国際調査報告】
2019230628.tif 000013
2019230628.tif 000014
2019230628.tif 000015
2019230628.tif 000016